(57)【要約】【課題】切削オーバーレイ工法における前後２回に亘るマンホール蓋又はマンホール枠の周辺を切断処理を同一箇所で行わせることなく異ならせて行うようにしたマンホール枠周辺切断工法の提供。【解決手段】第１の切断撤去工程、オーバーレイ工程、第２の切断撤去工程及びマンホール取付工程より成る切削オーバーレイ工法において、第１の切断撤去工程の回転カッター６による舗装面１の切断の平面円形の半径Ｌ１よりも第２の切断撤去工程の回転カッター１５によるオーバーレイ１３の舗装面の切断の平面円形の半径Ｌ２を大として処理することを特徴とするマンホール枠周辺切断工法。【選択図】図５
2008150788.tif 000002
【特許請求の範囲】
【請求項１】
マンホール枠周囲の舗装面をマンホール枠の中心軸上を中心として回動する回転カッターを用いて平面円形に切断して、切断舗装版及びマンホール枠を撤去させる第１の切断撤去工程と、撤去後にマンホール基礎上に支持蓋を仮設し、かつ支持蓋周囲の空洞部に舗装材を打設して、マンホール基礎上の舗装材表面を含めて舗装表面を切削し、切削面に新舗装材を施工するオーバーレイ工程と、ついでマンホール枠の設置予定域周囲の舗装面を、前記オーバーレイ上からマンホール枠の中心軸上を中心として回動する回転カッターを用いて平面円形に切断して、切断舗装版及び支持枠を撤去させる第２の切断撤去工程と、撤去後のマンホール基礎上にマンホール枠の据え付け基礎が構築され、さらにマンホール枠がオーバーレイ表面の高さに合わせて設置されると共に、マンホール枠周囲の空洞部に舗装材がオーバーレイ表面の高さまで打設させてマンホール蓋を取付けるマンホール取付工程と、より成る切削オーバーレイ工法において、第１の切断撤去工程の回転カッターによる舗装面の切断の平面円形の半径Ｌ１よりも第２の切断撤去工程の回転カッターによる舗装面の切断の平面円形の半径Ｌ２を大として処理することを特徴とするマンホール枠周辺切断工法。
【請求項２】
請求項１記載の切削オーバーレイ工法において、第１及び第２の切断撤去工程の回転カッターによる切断は、平面円形かつ側面円弧状とした椀形状として成ることを特徴とするマンホール枠周辺切断工法。
【請求項３】
請求項１記載の切削オーバーレイ工法において、第１及び第２の切断撤去工程の回転カッターによる切断は、平面円形かつ側面矩形とした円筒状として成ることを特徴とするマンホール枠周辺切断工法。
【請求項４】
請求項１記載の切削オーバーレイ工法において、第１及び第２の切断撤去工程の切断舗装部の杠上箇所は、マンホール蓋の中心より離れて偏心した外周位置に設けて傾斜させ乍ら杠上させて成ることを特徴とするマンホール枠周辺切断工法。
【発明の詳細な説明】
【技術分野】
【０００１】
本発明は、切削オーバーレイ工法における二回に及ぶマンホール枠周辺の回転カッターによる平面円形に切断するマンホール枠周辺切断工法に関する。
【背景技術】
【０００２】
一般に、道路面の舗装工事には、道路上に設置してあるマンホール蓋の配設を無視することはできない。
【０００３】
したがって、このマンホール蓋及び蓋枠を配慮した３種類の工法が知られている。
【０００４】
即ち、未舗装の道路面をアスファルト等で舗装する舗装方法、舗装された道路表面上にその儘重ねてアスファルト等で舗装するオーバーレイ工法及び舗装面を切削して傷んだ路面を除去し、その後アスファルト等の新しい舗装加工を施すようにした切削オーバーレイ工法が知られている。
【０００５】
そして、これ等の工法において、マンホール蓋及びマンホール枠を除去して道路面全域を舗装処理しなければならないので、予めマンホール蓋及びマンホール枠を、その周辺の道路部分を円筒状とか円弧状等の回転カッターを用いて道路面より切断し、マンホール枠を含めてその周辺部分を撤去する工程を必要不可欠としている（特許文献１，特許文献２，特許文献３，特許文献４参照）。
【０００６】
そして、特に切削オーバーレイ工法にあっては、上述の切断撤去工程を前後２回行っている。
【特許文献１】特許第２６２３４９０号公報
【特許文献２】特許第２６２３４９１号公報
【特許文献３】特許第２６２３４９２号公報
【特許文献４】特許第３６４４９４９号公報
【発明の開示】
【発明が解決しようとする課題】
【０００７】
切削オーバーレイ工法において、同一の径による前後二回の工程は、同一径である点で、理論上、一度切断した箇所を反覆行えるという利点があるが、実際の作業現場において、必ずしも同じ切断箇所を反覆して行えるという保障はなく、往々にして切断面がずれて異なり、そのために回転カッターに対するトルクが変動し、作業上の違和感を作業者に与える等の問題点があった。
【０００８】
特に、図７（ａ）に示すように同一半径ｒによる回転カッターの前後２回の回転中心Ｃ１及びＣ２が僅かにずれた場合、多くの場合２箇所の切断線ｔ１，ｔ２の交差する箇所Ｘ１，Ｘ２が生じ、同図（ｂ）に示すように第１回目の切断線ｔ１で切断し、第２回目の切断線ｔ２で切断しなおした場合、切れ端箇所Ｙが内壁側に残り、完全な仕上がりが得られないという不都合もあった。
【０００９】
本発明では、第１回目の切断撤去工程での回転カッターによる平面円形の円周切断部がマンホール枠の外周でマンホール枠の中心より半径長さＬ１に対し、第２回目の切断撤去工程での回転カッターによる平面円形の円周のマンホール枠の外周でマンホール枠の中心よりの半径長さＬ２を大として第１回目の切断部と第２回目の切断部との位置を異ならせて、切断線が交差しないようにしたことを特徴とする切削オーバーレイ工法におけるマンホール枠周辺切断工法を提供することを目的とする。
【課題を解決するための手段】
【００１０】
本発明は、以下の構成を備えることにより上記課題を解決できるものである。
【００１１】
（１）マンホール枠周囲の舗装面をマンホール枠の中心軸上を中心として回動する回転カッターを用いて平面円形に切断して、切断舗装版及びマンホール枠を撤去させる第１の切断撤去工程と、撤去後にマンホール基礎上に支持蓋を仮設し、かつ支持蓋周囲の空洞部に舗装材を打設して、マンホール基礎上の舗装材表面を含めて舗装表面を切削し、切削面に新舗装材を施工するオーバーレイ工程と、ついでマンホール枠の設置予定域周囲の舗装面を、前記オーバーレイ上からマンホール枠の中心軸上を中心として回動する回転カッターを用いて平面円形に切断して、切断舗装版及び支持枠を撤去させる第２の切断撤去工程と、撤去後のマンホール基礎上にマンホール枠の据え付け基礎が構築され、さらにマンホール枠がオーバーレイ表面の高さに合わせて設置されると共に、マンホール枠周囲の空洞部に舗装材がオーバーレイ表面の高さまで打設させてマンホール蓋を取付けるマンホール取付工程と、より成る切削オーバーレイ工法において、第１の切断撤去工程の回転カッターによる舗装面の切断の平面円形の半径Ｌ１よりも第２の切断撤去工程の回転カッターによる舗装面の切断の平面円形の半径Ｌ２を大として処理することを特徴とするマンホール枠周辺切断工法。
【００１２】
（２）前記（１）記載の切削オーバーレイ工法において、第１及び第２の切断撤去工程の回転カッターによる切断は、平面円形かつ側面円弧状とした椀形状として成ることを特徴とするマンホール枠周辺切断工法。
【００１３】
（３）前記（１）記載の切削オーバーレイ工法において、第１及び第２の切断撤去工程の回転カッターによる切断は、平面円形かつ側面矩形とした円筒状として成ることを特徴とするマンホール枠周辺切断工法。
【００１４】
（４）前記（１）記載の切削オーバーレイ工法において、第１及び第２の切断撤去工程の切断舗装部の杠上箇所は、マンホール蓋の中心より離れた外周位置に設けて傾斜させ乍ら杠上させて成ることを特徴とするマンホール枠周辺切断工法。
【発明の効果】
【００１５】
本発明によれば、切削オーバーレイ工法における第１回目のマンホール枠及びマンホール枠周囲の表面未処理の回転カッターによる平面円形切断撤去工程、及び第２回目の表面施工加工後のマンホール枠周囲の回転カッターによる平面円形切断撤去工程のそれぞれの回転カッターによるマンホール枠の中心よりの半径長さＬ１，Ｌ２の長さを異にしているので、切断部は夫々異なり、従来のような作業時のトルク変化を生ずることなく円滑な回転カッターによる切断処理が行える。
【００１６】
特に、芯出しを必要とする回転カッターの芯ずれが生じても切れ端箇所Ｙを生じないので仕上がりが良く、作業性に全く影響を生じないので作業効率を向上できる。
【００１７】
さらに、第１回目の切断処理によるマンホール枠及びその周辺の土地容積が第２回目のマンホール枠を含まない切断処理による切断処理容積より小さくできるので、第１回目の切断処理による空洞部内への初回の埋め戻し材料の少量化が得られ、全体として撤去容積及び撤去重量が小さく、かつ軽快に行えるので回転カッターを作動させる機械も小型機器を用いて作業性を著しく向上できる。
【発明を実施するための最良の形態】
【００１８】
以下に、本発明の一実施例を図面と共に説明する。
【実施例】
【００１９】
本発明に係る切削オーバーレイ工法について施工工程順に沿って図面と共に詳細に説明する。
【００２０】
図１（ａ）は路面、即ち舗装面１の切断図を示し、切削前の傷んだ舗装面１とその舗装面１に配設されている補修を必要とするマンホール蓋２及びその蓋枠３を示し、かつこの蓋枠３は、地中のマンホール基礎４上で、据え付け基材５等を介して高さを調節自在にして固着されている。同図（ｂ）は、マンホール蓋枠３の外周の舗装面１を回転カッター６により切断する過程を示している。そして回転カッター６は断面円弧状の曲面を有し、マンホール蓋２の中心軸Ｃ１上を中心として半径Ｌ１の球面を有し、この回転カッター６の回転、回動により舗装面１に対しては切断面７が平面円形を示し、かつ断面円弧状を呈し、全体として椀型形状を呈すものである。そして、この回転カッター６は図示しない回転軸により必要回転数の下に回転すると共に、舗装面１に対し３６０°回転させた後、マンホール蓋２及びこの枠３の外周に一体的に固着されているドーナツ状の切断舗装部（撤去物）８を、マンホール蓋枠３の中心軸Ｃ１位置よりワイヤー等の吊下紐９を用いて引き上げ外部に撤去する（図１（ｃ），（ｄ）参照）。この工程が第１の切断撤去工程である。
【００２１】
なお、切断舗装部８の撤去に際し、マンホール基礎４に配設される据え付け基材５を切截剥離するためと引き上げ用の切截具Ｓを用いることができる。
【００２２】
ついで、撤去後にマンホール基礎４上に支持蓋（養生蓋）１０を仮設遮蔽し、かつ支持蓋１０周囲の空洞部１１（図１（ｄ）参照）内に舗装材１２を打設し、この舗装材１２の表面を路面舗装面１と同一とし、この舗装材１２を打設した表面を含め傷ついて補修を必要とする路面の舗装面１の表面を切削ｄして、均一な舗装面１ａとする。そして、その表面の剥離された舗装面１ａに新たな舗装材を用いてオーバーレイ１３が施工され、ここにオーバーレイ工程が完成する（図２（ａ），（ｂ），（ｃ）参照）。
【００２３】
ついで、第２の切断撤去工程が始まる。
【００２４】
図３（ａ）に示すオーバーレイ１３のマンホール枠の設置予定域周囲１４の舗装面を、前記オーバーレイ１３上からマンホール枠の中心軸Ｃ１上位置またはその近くの地点の軸Ｃ２（図５（ａ），（ｂ）参照）上を中心とする回転カッター１５を用いて切断する過程を示している。
【００２５】
そして回転カッター１５は、前記回転カッター６と同様に断面円弧状の曲面を有し、マンホール枠の中心軸Ｃ１又はＣ２位置上を中心として半径Ｌ２の球面を有し、オーバーレイ１３の舗装面に対しては切断される舗装面に対する切断面７ａは、平面円形を示し、かつ断面円弧状を呈し、全体として椀型形状を成すものである。なお、この回転カッター１５は前記回転カッター６と同様の回転運動を行い、舗装面に対し３６０°回動される。
【００２６】
ところで、この回転カッター１５の半径Ｌ２には、前記第１の回転カッター６の半径Ｌ１より大とし、したがって切断面７ａは前記切断面７より外方に形成される。
【００２７】
そのため回転カッター６，１５とは曲率半径を異にするので、同一箇所での切断処理は行われず、しかも両者の回転カッター６，１５の中心軸Ｃ１，Ｃ２即ち芯出し位置が多少ずれても切断処理する際の違和感を生ずることなく、更に切れ端箇所を生ずることなく円滑な切断作業が行われて切断面７，７ａを得ることができる。
【００２８】
即ち、図５（ａ），（ｂ）に示すように第１及び第２の回転カッター６，１５の中心軸（即ち芯）を一致させてもまた外れても両者の切断跡Ｐ，Ｑは一致することなく常に新しい舗装面を切断できる。
【００２９】
かくして切断された舗装部は支持蓋１０をワイヤー等の紐１６を牽引して杠上させ、椀型形状体（撤去物）１７として撤去させることができる。茲に第２の切断撤去工程を終了できる。なお、切断された舗装部の椀型形状体１７は吊下用ボルトを植設して、この吊下用ボルトを利用して吊上げても良い。
【００３０】
つぎに、撤去された空洞部１８（図３（ｃ）参照）内にマンホール基礎４上に新たなマンホール枠３ａを据え付け基材５ａ等を介して高さを調節自在にして、マンホール枠３ａがオーバーレイ表面の高さに合わせて設置されると共に、マンホール枠周囲の空隙部１９（図４（ａ）参照）に好みの舗装材をオーバーレイの高さまで打設し、最後に新たなマンホール蓋２ａをマンホール枠３ａに嵌合させてマンホール取付工程を完了する。
【００３１】
処で、回転カッター６，１５は、例えば本発明者が先に発明した特許第３３７１２５４号に示す路面用カッターを用いることにより、マンホール枠の中心軸Ｃ１，Ｃ２からの回転カッターまでの半径を大小２通りに可変できるアーム機構を備えているので、容易に実施できる。
【００３２】
なお、上述の第１回目及び第２回目の回転カッター６又は１５による切断撤去工程において撤去作業の際、マンホール枠中心箇所に吊下紐９又は１６を用いて持ち上げて上方に杠上させているが、マンホール枠中心箇所でなく、外周囲の好みの偏心した位置に吊上手段を設けて、椀型状の撤去物８又は１７自体を横方向にずらせ乍ら傾斜させて吊上げることにより、従来の垂直方向への吊上げの引張力より軽い引きずり力で、まず中央部分の未切削部分を横方向に移動させて剥離し、ついで重量だけの引き上げる力で垂直方向に引き上げれば、全体として少ない引き上げ力を持って軽快かつ効率良く、早く撤去作業が可能である。
【００３３】
具体的は構成を図６（ａ），（ｂ）に基づいて図面と共に説明する。第２回目の第２の切断撤去工程において、予めマンホール基礎４上に配設される支持蓋（養生蓋）１０の中心箇所Ｃ２より離れた外周位置Ｚに係止孔を位置あわせてして設けて置き、回転カッター１５による椀型状の撤去物１７を杠上する際、外周位置Ｚにワイヤー等の吊上げ手段を引き上げれば、撤去物１７は偏心力を受け、横方向にずらされて、しかも円弧状の切断面７ａに沿って傾斜して持ち上げられる。この際に働く引上げ力は、従来の垂直方向への吊上げ引張力より格段と軽い力で済み、まず中央部分の未切断部分Ｍを横方向に移動させて剥離し、ついで撤去物１０の重量だけの引上げ力で、その儘またはその他の箇所を別途に引上げ箇所を設けて上方に持ち上げれば、全体として従来では予測できない軽量の力でかつ効率よく、しかも作業時間を短縮できる。
【００３４】
さらに付言すれば、撤去物１７の表面の中心軸Ｃ２方向より離れた外周箇所に、係止用のボルト等の止め具を打ち込み、この止具を杠上させても偏心力が与えられるので前記したと同様の軽い引張力で能率よく撤去物１７を杠上除去できる。
【００３５】
処で、実際の実施施工において、第１回目の第１の切断撤去工程にあっては、表層径で９００ｍｍで行うことができ、第２回目の第２の切断撤去工程では表層径で９５０ｍｍで行い５０ｍｍの大きさを異ならせて切断加工することができる。
【００３６】
なお、回転カッターの半径を大小２通りに可変させるアーム機構は、上記特許に開示される発明に限定されるものとは限らず、例えば特開２００４−３２４２３２に示される構成の発明によっても実施できる。
【００３７】
以上は専ら回転カッターとして、平面円形でかつ側面が球体の一部を構成する円弧状を呈する構成に限定したが、全体が一定の半径を有する円筒状の平面円形で側面矩形の回転カッターについても半径の異なる大小２種類の回転カッターを交互に用いても実施できる。
【００３８】
さらに、オーバーレイ工程によって遮蔽されてマンホール枠又はマンホール蓋等の設置予定域のマーカーによる検出手段は、縁石等の非舗装箇所での目印を描出するなどして行う従来方法と同様に実施できると共に、オーバーレイ工程、及びマンホール取付工程については上述の実施例の記載に特定されることなく、何等限定されない。
【図面の簡単な説明】
【００３９】
【図１】（ａ），（ｂ），（ｃ），（ｄ）は、本発明に係る工法の一実施例を示す第１の切断撤去工程を示す順次作業の断面説明図
【図２】（ａ），（ｂ），（ｃ）はオーバーレイ工程を示す順次作業の断面説明図
【図３】（ａ），（ｂ），（ｃ）は第２の切断撤去工程を示す順次作業の断面説明図
【図４】（ａ），（ｂ），（ｃ）はマンホール取付工程を示す順次作業の断面説明図
【図５】（ａ）は２回の回転カッターによる舗装面の切断跡が同一の中心軸上で形成された場合の平面説明図、（ｂ）は２回の回転カッターによる舗装面の切断跡が芯ずれを起こして中心軸がずれて形成された場合の平面説明図
【図６】（ａ），（ｂ）は本発明に係る第２の切断撤去工程における撤去物の撤去作業の他例を示すもので、（ａ）は平面説明図、（ｂ）は（ａ）の縦断説明図
【図７】（ａ）は芯ずれを生じて同一半径の回転半径で回転カッターを用いた路面を２回切断した場合の従来工程を示す平面説明図、（ｂ）は同上の縦断説明図
【符号の説明】
【００４０】
１，１ａ      舗装面
２，２ａ      マンホール蓋
３            蓋枠，マンホール蓋枠
３ａ          マンホール枠
４            マンホール基礎
５，５ａ      据え付け基材
６，１５      回転カッター
７，７ａ      切断面
８            切断舗装部（撤去物）
９            吊下紐
１０          支持蓋（養生蓋）
１１          空洞部
１２          舗装材
１３          オーバーレイ
１４          設置予定域周囲
１６          ワイヤー等の紐
１７          椀型形状体（撤去物）
１８          空洞部
１９          空隙部
Ｃ１，Ｃ２     中心軸
ｄ            切削部
Ｌ１，Ｌ２，ｒ  回転カッターの回転半径
Ｍ            未切断部分
Ｓ            切截具
ｔ１，ｔ２     切断線
Ｐ，Ｑ        切断跡
Ｘ１，Ｘ２     箇所
Ｙ            切れ端箇所
Ｚ            外周位置
【図１】
2008150788.tif 000003
【図２】
2008150788.tif 000004
【図３】
2008150788.tif 000005
【図４】
2008150788.tif 000006
【図５】
2008150788.tif 000007
【図６】
2008150788.tif 000008
【図７】
2008150788.tif 000009